(57)【要約】【課題】  簡単な作業で正確に切断できるようにすることを目的とする。【解決手段】同軸ケーブル３のコネクタ部を覆う円筒部２０ａと、この円筒部２０ａに連続しこの同軸ケーブル３に係合固定する中空裁頭円錐部２０ｂとを有するコネクターキャップにおいて、この中空裁頭円錐部２０ｂの表面にこの同軸ケーブル３の太さに応じて切断する切断目印２０ｃ、２０ｄを付したものである。【選択図】        図３
2006294385.tif 000002
【特許請求の範囲】
【請求項１】
同軸ケーブルのコネクタ部を覆う円筒部と、該円筒部に連続し前記同軸ケーブルに係合固定する中空裁頭円錐部とを有するコネクターキャップにおいて、
前記中空裁頭円錐部の表面に前記同軸ケーブルの太さに応じて切断する切断目印を付したことを特徴とするコネクターキャップ。
【請求項２】
アンテナの電波収束部に有るコンバータと受信機本体とを同軸ケーブルを介して接続するようにした電波受信装置において、
前記コンバータと前記同軸ケーブルとを接続するコネクタ部に該コネクタ部を覆う円筒部と該円筒部に連続し前記同軸ケーブルに係合固定する前記同軸ケーブルの太さに応じて切断する切断目印を付した中空裁頭円錐部とを有し、前記同軸ケーブルの太さに応じて切断したコネクターキャップを装着したことを特徴とする電波受信装置。
【発明の詳細な説明】
【技術分野】
【０００１】
本発明は、例えば衛星放送受信用アンテナ装置に適用して好適なコネクターキャップ及び電波受信装置に関する。
【背景技術】
【０００２】
一般に衛星放送受信用アンテナ装置（電波受信装置）は、図１０に示す如く、パラボラ反射鏡１の電波収束部にコンバータ２が設けられており、このコンバータ２と受信機本体とを同軸ケーブル３を介して接続する。
【０００３】
この同軸ケーブル３は例えば図１１に示す如く軟銅単線より成る内部導体３ａを発泡ポリエチレンより成る絶縁体３ｂで包み、その外側にボンデッド両面アルミ箔張付けプラスチックテープより成る第１の外部導体３ｃを設けると共にその外側に錫メッキ軟銅線網組みより成る第２の外部導体３ｄを設け、更にその外側に塩化ビニールより成る被覆３ｅを施した多重構造のケーブルで、外部導体３ｃ、３ｄによって外界からの電磁波の影響を抑えて信号を伝達することができ、高性能な周波数特性、減衰特性、耐環境特性を有する。
【０００４】
このコンバータ２と同軸ケーブル３とを接続するのに、図１２に示す如く、このコンバータ２に設けた同軸コネクタ２ａに、同軸ケーブル３の端部に設けたケーブルコネクタ４を螺合する如くしていた。
【０００５】
このコンバータ２の同軸コネクタ２ａの同軸ケーブルの端部のケーブルコネクタ４を螺合したコネクタ部に雨水等が浸入すると受信状態に悪影響を及ぼすので、このコネクタ部に雨水等が浸入しないようにするため図１２、図１３に示す如きコネクターキャップ５を装着する如くしていた（特許文献１参照）。
【０００６】
このコネクターキャップ５は、例えば図１３に示す如く、スチレン系熱可塑性エラストマーにより射出成形したもので、この同軸ケーブル３のコネクタ部を覆う円筒部５ａと、この円筒部５ａに連続し、この同軸ケーブル３に係合固定する中空裁頭円錐部５ｂとを有している。この中空裁頭円錐部５ｂをこのコネクターキャップ５がずれないようにクランパーで同軸ケーブル３に固定する。
【０００７】
ところで、一般家庭で、衛星放送受信用アンテナ装置に使用される同軸ケーブル３として、４Ｃ同軸ケーブル、５Ｃ同軸ケーブル及び７Ｃ同軸ケーブルの３種が必要に応じあるいは所望により使用されている。
【０００８】
４Ｃ同軸ケーブルの仕上外径は例えば６±０．５ｍｍであり、５Ｃ同軸ケーブルの仕上外径は例えば７．７±０．３ｍｍであり、７Ｃ同軸ケーブルの仕上外径は例えば１０．２±０．５ｍｍである。
【０００９】
そこで、従来は、このコネクターキャップ５の中空裁頭円錐部５ｂの先端の内径を最も仕上外径の小さい４Ｃ同軸ケーブルと係合しこれを固定する如く例えば５±０．１ｍｍとし、５Ｃ同軸ケーブル及び７Ｃ同軸ケーブルを使用するときは、この中空裁頭円錐部５ｂの先端より例えば８．５ｍｍ及び１８．８ｍｍの位置で切断する旨、取扱説明書に明記されていた。
【特許文献１】特開平５−１０９４４９号公報
【発明の開示】
【発明が解決しようとする課題】
【００１０】
然しながら、５Ｃ同軸ケーブルあるいは７Ｃ同軸ケーブルを使用するときには、設置者が指定された寸法位置即ち先端より例えば８．５ｍｍあるいは１８．８ｍｍの位置で切断する作業が必要であり、不慣れな設置者が短尺、カッタ等を使用して行わねばならず、大変煩雑な作業であると共に切断寸法が不正確となる不都合があった。
【００１１】
本発明は、斯かる点に鑑み簡単な作業で正確に切断できるようにすることを目的とする。
【課題を解決するための手段】
【００１２】
本発明コネクターキャップは、同軸ケーブルのコネクタ部を覆う円筒部と、この円筒部に連続しこの同軸ケーブルに係合固定する中空裁頭円錐部とを有するコネクターキャップにおいて、この中空裁頭円錐部の表面にこの同軸ケーブルの太さに応じて切断する切断目印を付したものである。
【００１３】
本発明電波受信装置は、アンテナの電波収束部に有るコンバータと受信機本体とを同軸ケーブルを介して接続するようにした電波受信装置において、このコンバータとこの同軸ケーブルとを接続するコネクタ部にこのコネクタ部を覆う円筒部とこの円筒部に連続しこの同軸ケーブルに係合固定するこの同軸ケーブルの太さに応じて切断する切断目印を付した中空裁頭円錐部とを有し、この同軸ケーブルの太さに応じて切断したコネクターキャップを装着したものである。
【発明の効果】
【００１４】
斯かる、本発明によれば、中空裁頭円錐部の表面に同軸ケーブルの太さに応じて切断する切断目印に沿って切断すれば良く、簡単な作業で正確に切断できる。
【発明を実施するための最良の形態】
【００１５】
以下、図面を参照して本発明コネクターキャップ及び電波受信装置を実施するための最良の形態の例につき説明する。
【００１６】
本例においては、本発明電波受信装置を衛星放送受信用アンテナ装置に適用した例につき説明する。本例による衛星放送受信用アンテナ装置は図１０に示す如く、パラボラ反射鏡１の電波収束部にコンバータ２が設けられており、このコンバータ２は例えば１２ＧＨｚ帯の信号を１ＧＨｚ帯の信号に変換するようにしたものである。
【００１７】
このコンバータ２は、図１及び図２に示す如く、このコンバータ本体１０はアルミダイカスト成形によって電気的シールドされたケースの内部に高周波回路が組み込まれ、このコンバータ本体１０の正面上部には、電波を受けるホーン部１１、１１が開口し、下部には図１、図１０に示す如く、パラボラ反射鏡１へ、ステーを介して組付ける取付け腕１２が斜め下方に向けて設けられている。
【００１８】
また、このコンバータ本体１０の底面に、内部の高周波回路と外部出力用同軸ケーブル３との接続を図る同軸コネクタ２ａが設けられている。また、コンバータ本体１０は、図１に示す如くホーン部１１、１１にホーンキャップ１３が装着され、全体が取付け腕１２と同軸コネクタ２ａとを露出した状態にて、二分割式の合成樹脂カバー１４で覆われている。
【００１９】
この衛星放送受信用アンテナ装置のコンバータ２と受信機本体とを同軸ケーブル３を介して接続する。この同軸ケーブル３は例えば図１１に示す如く軟銅単線より成る内部導体３ａを発泡ポリエチレンより成る絶縁体３ｂで包み、その外側にボンデッド両面アルミ箔張付けプラスチックテープより成る第１の外部導体３ｃを設けると共にその外側に錫メッキ軟銅線網組みより成る第２の外部導体３ｄを設け、更にその外側に塩化ビニールより成る被覆３ｅを施した多重構造のケーブルで、外部導体３ｃ、３ｄによって外界からの電磁波の影響を抑えて信号を伝達することができ、高性能な周波数特性、減衰特性、耐環境特性を有する。
【００２０】
このコンバータ２と同軸ケーブル３とを接続するのに、図２に示す如く、このコンバータ２に設けた同軸コネクタ２ａに、同軸ケーブル３の端部に設けたケーブルコネクタ４を螺合する如くしていた。
【００２１】
このコンバータ２の同軸コネクタ２ａの同軸ケーブル３の端部のケーブルコネクタ４を螺合したコネクタ部に雨水等が浸入すると受信状態に悪影響を及ぼすので、このコネクタ部に雨水等が浸入しないようにするため本例においては、図１、図２、図３及び図４に示す如きコネクターキャップ２０を装着する。
【００２２】
ところで、一般家庭で、衛星放送受信用アンテナ装置に使用される同軸ケーブル３として、４Ｃ同軸ケーブル、５Ｃ同軸ケーブル及び７Ｃ同軸ケーブルの３種が必要に応じあるいは所望により使用されている。
【００２３】
４Ｃ同軸ケーブルの仕上外径は例えば６±０．５ｍｍであり、５Ｃ同軸ケーブルの仕上外径は例えば７．７±０．３ｍｍであり、７Ｃ同軸ケーブルの仕上外径は例えば１０．２±０．５ｍｍである。
【００２４】
そこで、本例によるコネクターキャップ２０は、例えば図３に示す如く、軟質の合成樹脂、例えばエラストマーにより射出成形したもので、この同軸ケーブル３のコネクタ部を覆う円筒部２０ａと、この円筒部２０ａに連続し、この同軸ケーブル３に係合固定する中空裁頭円錐部２０ｂとを有している。
【００２５】
本例においては、このコネクターキャップ２０の中空裁頭円錐部２０ｂの先端の内径を最も仕上外径の小さい４Ｃ同軸ケーブルと係合しこれを固定する如く例えば５±０．１ｍｍとし、５Ｃ同軸ケーブル及び７Ｃ同軸ケーブルを使用するときに切断するこの中空裁頭円錐部２０ｂの表面の先端より例えば８．５ｍｍ及び１８．８ｍｍの位置に夫々リング状に接近した２本の突起２０ｃ及び２０ｄを設け、切断の目印とする。
【００２６】
このコネクターキャップ２０の中空裁頭円錐部２０ｂの表面の接近した２本の突起２０ｃ及び２０ｄは、このコネクターキャップ２０を射出成形するときに一体に形成する。
【００２７】
本例は、上述如く構成されているので、例えば、４Ｃの同軸ケーブル３を使用するときは、図１、図２及び図４Ａに示す如く、コネクターキャップ２０は製造した図３のままとし、コンバータ２の同軸コネクタ２ａと同軸ケーブル３の先端のケーブルコネクタ４とを螺合して接続した後、図１に示す如く、コネクターキャップ２０の円筒部２０ａの先端をコンバータ２の同軸コネクタ２ａの台座まで押し込み、コネクタ部をこのコネクターキャップ２０の円筒部２０ａで覆うようにする。
【００２８】
その後、このコネクターキャップ２０の中空裁頭円錐部２０ｂの先端近傍の４Ｃ同軸ケーブル３の挿通部上をこのコネクターキャップ２０がずれないように例えばナイロンより成るバックル部と所定幅のバンド部とより成る周知のクランパー２１で固定する。
【００２９】
また、例えば５Ｃの同軸ケーブル３を使用するときは図４Ｂに示す如く、このコネクターキャップ２０の中空裁頭円錐部２０ｂの表面の２本の突起２０ｃの間に沿って切断し、その後この５Ｃの同軸ケーブル３を挿通し、図１に示す如く、コンバータ２の同軸コネクタ２ａに同軸ケーブル３の先端のケーブルコネクタ４を螺合して接続し、その後コネクターキャップ２０の円筒部２０ａの先端をコンバータ２の同軸コネクタ２ａの台座まで押し込み、このコネクタ部をこのコネクターキャップ２０の円筒部２０ａで覆うようにする。
【００３０】
その後、このコネクターキャップ２０の中空裁頭円錐部２０ｂの先端近傍の５Ｃ同軸ケーブル３の挿通部上をこのコネクターキャップ２０がずれないように例えばナイロンより成るバックル部と所定幅のバンド部とより成る周知のクランパー２１で固定する。
【００３１】
また、例えば７Ｃの同軸ケーブル３を使用するときは図４Ｃに示す如く、このコネクターキャップ２０の中空裁頭円錐部２０ｂの表面の２本の突起２０ｄの間に沿って切断し、その後この７Ｃの同軸ケーブル３を挿通し、図１に示す如く、コンバータ２の同軸コネクタ２ａに同軸ケーブル３の先端のケーブルコネクタ４を螺合して接続し、その後コネクターキャップ２０の円筒部２０ａの先端をコンバータ２の同軸コネクタ２ａの台座まで押し込み、このコネクタ部をこのコネクターキャップ２０の円筒部２０ａで覆うようにする。
【００３２】
その後、このコネクターキャップ２０の中空裁頭円錐部２０ｂの先端近傍の７Ｃ同軸ケーブル３の挿通部上をこのコネクターキャップ２０がずれないように例えばナイロンより成るバックル部と所定幅のバンド部とより成る周知のクランパー２１で固定する。
【００３３】
本例によれば、コネクターキャップ２０の中空裁頭円錐部２０ｂの表面に同軸ケーブルの太さに応じて切断する切断目印であるリング状の接近した２本の突起２０ｃ及び２０ｄを付したので、このリング状の２本の突起２０ｃ及び２０ｄに沿って切断すれば良く、簡単な作業で正確に切断できる。
【００３４】
また、図５〜図９は夫々本発明コネクターキャップ２０の他の例を示す。この図５〜図９につき説明するに図３に対応する部分には同一符号を付し、その詳細説明は省略する。
【００３５】
図５例は、図３例のコネクターキャップ２０の中空裁頭円錐部２０ｂの表面の切断目印をリング状のＶ字形状の凹部２０ｅ及び２０ｆとしたものである。その他は図３例と同様に構成したものである。
斯かる、図５例においても図３例と同様の作用効果が得られることは容易に理解できよう。
【００３６】
図６例は、図３例のコネクターキャップ２０の中空裁頭円錐部２０ｂの表面の切断目印をリング状のＵ字形状の凹部２０ｇ及び２０ｈとしたものである。その他は図３例と同様に構成したものである。
斯かる、図６例においても図３例と同様の作用効果が得られることは容易に理解できよう。
【００３７】
図７例は、図３例のコネクターキャップ２０の中空裁頭円錐部２０ｂの表面の切断目印をリング状のフクロミシン目２０ｉ及び２０ｊとしたものである。その他は図３例と同様に構成したものである。
斯かる、図７例においても図３例と同様の作用効果が得られることは容易に理解できよう。
【００３８】
図８例は、図３例のコネクターキャップ２０の中空裁頭円錐部２０ｂの表面の切断目印をリング状の破断線の凹部２０ｋ及び２０ｌとしたものである。その他は図３例と同様に構成したものである。
斯かる、図８例においても図３例と同様の作用効果が得られることは容易に理解できよう。
【００３９】
図９例は、図３例のコネクターキャップ２０の中空裁頭円錐部２０ｂの表面の切断目印を段差形状部２０ｍ及び２０ｎとしたものである。その他は図３例と同様に構成したものである。
斯かる、図９例においても図３例と同様の作用効果が得られることは容易に理解できよう。
【００４０】
尚、本発明は上述例に限ることなく、本発明の要旨を逸脱することなく、その他種々の構成が採り得ることは勿論である。
【図面の簡単な説明】
【００４１】
【図１】本発明電波受信装置を実施するための最良の形態の例の要部を示す側面図である。
【図２】図１の説明に供する分解正面図である。
【図３】本発明コネクターキャップを実施するための最良の形態の例を示す側面図である。
【図４】図３例の説明に供する側面図である。
【図５】本発明コネクターキャップを実施するための最良の形態の他の例を示す側面図である。
【図６】本発明コネクターキャップを実施するための最良の形態の他の例を示す側面図である。
【図７】本発明コネクターキャップを実施するための最良の形態の他の例を示す側面図である。
【図８】本発明コネクターキャップを実施するための最良の形態の他の例を示す側面図である。
【図９】本発明コネクターキャップを実施するための最良の形態の他の例を示す側面図である。
【図１０】電波受信装置の例を示す斜視図である。
【図１１】同軸ケーブルの例を示す側面図である。
【図１２】従来の電波受信装置の説明に供する分解正面図である。
【図１３】従来のコネクターキャップの例を示す側面図である。
【符号の説明】
【００４２】
１…パラボラ反射鏡、２…コンバータ、２ａ…同軸コネクタ、３…同軸ケーブル、４…ケーブルコネクタ、１０…コンバータ本体、２０…コネクターキャップ、２０ａ…円筒部、２０ｂ…中空裁頭円錐部、２０ｃ，２０ｄ…リング状の接近した２本の突起、２０ｅ，２０ｆ…リング状のＶ字形状の凹部、２０ｇ，２０ｈ…リング状のＵ字形状の凹部、２０ｉ，２０ｊ…リング状のフクロミシン目、２０ｋ，２０ｌ…リング状の破断線の凹部、２０ｍ，２０ｎ…段差形状部
【図１】
2006294385.tif 000003
【図２】
2006294385.tif 000004
【図３】
2006294385.tif 000005
【図４】
2006294385.tif 000006
【図５】
2006294385.tif 000007
【図６】
2006294385.tif 000008
【図７】
2006294385.tif 000009
【図８】
2006294385.tif 000010
【図９】
2006294385.tif 000011
【図１０】
2006294385.tif 000012
【図１１】
2006294385.tif 000013
【図１２】
2006294385.tif 000014
【図１３】
2006294385.tif 000015